(57)【要約】【課題】ディスプレイ装置の製造方法において、表示パネルに接続するフレキシブル配線板同士の貼り付きを防止し、誤接続を防ぐことを目的とする。【解決手段】表示パネルに設けた電極引出部にフレキシブル配線板を接続する際に、フレキシブル配線板３を複数枚重ねた状態で収納する筒状で樹脂製の収納容器４と、この収納容器４から前記フレキシブル配線板３を１枚づつ取出す取出し装置とを用い、前記収納容器４に収納されたフレキシブル配線板３を前記取出し装置によって１枚づつ取出しながら前記表示パネルの電極端子部にフレキシブル配線板を接続するように構成し、かつ前記収納容器４の内側面に、前記フレキシブル配線板３の端部が接触する除電ブラシを備え、その除電ブラシによりフレキシブル配線板３の除電を行いながら取出し装置によりフレキシブル配線板３を取出すことを特徴とする。【選択図】図２
2009092989.tif 000002
【特許請求の範囲】
【請求項１】
表示パネルに設けた電極引出部にフレキシブル配線板を接続する際に、前記フレキシブル配線板を複数枚重ねた状態で収納する筒状で樹脂製の収納容器と、この収納容器から前記フレキシブル配線板を１枚づつ取出す取出し装置とを用い、前記収納容器に収納されたフレキシブル配線板を前記取出し装置によって１枚づつ取出しながら前記表示パネルの電極端子部にフレキシブル配線板を接続するように構成し、かつ前記収納容器の内側面に、前記フレキシブル配線板の端部が接触する除電ブラシを備え、その除電ブラシによりフレキシブル配線板の除電を行いながら取出し装置によりフレキシブル配線板を取出すことを特徴とするディスプレイ装置の製造方法。
【請求項２】
収納容器の長手方向に空気が通るような穴を複数個配列して形成したことを特徴とする請求項１に記載のディスプレイ装置の製造方法。
【発明の詳細な説明】
【技術分野】
【０００１】
本発明は表示パネルに設けた電極引出部にフレキシブル配線板を接続するディスプレイ装置の接続方法に関するものである。
【背景技術】
【０００２】
近年、液晶ディスプレイ装置やプラズマディスプレイ装置などで代表されるフラットパネルディスプレイ装置は表示ディスプレイとして主流になりつつある。このようなフラットパネルディスプレイ装置に用いられる画像表示部位である表示パネルは、一般的に２枚のガラスを張り合わせた構造を取るために、表示パネルの端部に電圧あるいは信号を印加するための電極を引き出すことになる。そしてこの電極引出部にフレキシブル配線板（ＦＰＣ）等を接続し、駆動回路装置等と電気的に接続している。
【０００３】
例えば、プラズマディスプレイ装置に用いる表示パネルでは、表示電極群を配した前面基板と、アドレス電極群を配した背面基板を、これら電極群が直交するように対向配置し、かつ基板間に放電空間を形成して封止される。そして各辺のパネル端部に表示電極群、アドレス電極群の電極引出部を形成している。この電極群に異方性導電接着剤によってＦＰＣを接着しており、このＦＰＣを介して電極引出部と駆動回路装置との接続を行っている。
【０００４】
さらに、電極引出部とＦＰＣとの接続部分の絶縁保護及び外力による剥離防止を目的として、この接続部分を覆うように絶縁を目的とした保護層として紫外光硬化型の樹脂などを設けている（例えば特許文献１参照）。また、駆動波形を出力する回路装置は一般的にパネル裏面に配置されるため、このようなＦＰＣを折り返して接続することになる。
【特許文献１】特開２００２−１５１５４８号公報
【発明の開示】
【発明が解決しようとする課題】
【０００５】
上記ディスプレイ装置において、表示パネルにＦＰＣを接続する際、ＦＰＣ供給は、ビニール袋に収納されたＦＰＣをトレイに詰め替えした後、このトレイを製造設備に供給していた。
【０００６】
しかし、このようなＦＰＣの接続工程においては、静電気によりＦＰＣ同士が貼り付き、その状態のままでＦＰＣが表示パネルとの接続作業部分に供給されてしまい、誤接続が発生するという課題があった。
【０００７】
本発明はこのような課題を解決するもので、ＦＰＣ同士の貼り付きを防止し、誤接続を防ぐことを目的とするものである。
【課題を解決するための手段】
【０００８】
この目的を達成するために本発明は、表示パネルに設けた電極引出部にフレキシブル配線板を接続する際に、前記フレキシブル配線板を複数枚重ねた状態で収納する筒状で樹脂製の収納容器と、この収納容器から前記フレキシブル配線板を１枚づつ取出す取出し装置とを用い、前記収納容器に収納されたフレキシブル配線板を前記取出し装置によって１枚づつ取出しながら前記表示パネルの電極端子部にフレキシブル配線板を接続するように構成し、かつ前記収納容器の内側面に、前記フレキシブル配線板の端部が接触する除電ブラシを備え、その除電ブラシによりフレキシブル配線板の除電を行いながら取出し装置によりフレキシブル配線板を取出すことを特徴とするものである。
【発明の効果】
【０００９】
本発明によれば、表示パネルにＦＰＣを接続する際に、除電ブラシによりＦＰＣで発生した静電気を除去することができるため、ＦＰＣ同士の貼り付きを防止し、ＦＰＣを１枚づつ確実に分離することができ、誤接続を防止できる。さらに、収納容器に設けられた穴から除電された空気を送風することで、ＦＰＣの貼り付きをより確実に防止することができる。また、メーカーからＦＰＣを収納容器に収納した状態で直接納入する形態をとることができるため、ＦＰＣの詰め替え作業が無くなり、詰め替えによる工数削減を図ることができる。
【発明を実施するための最良の形態】
【００１０】
以下、本発明の一実施の形態によるディスプレイ装置の製造方法について、図１〜図４を用いて説明する。
【００１１】
図１は本実施の形態に用いる表示パネルを示す図で、表示パネル１の周辺部には、複数個の電極端子部２が形成されている。これらの電極端子部２それぞれにＦＰＣ３が接続され、そしてＦＰＣ３はそれぞれ所定の駆動回路に接続される。このＦＰＣ３を介して、駆動回路から表示パネル１の電極に駆動電圧が印加される。ＦＰＣ３は、ポリイミドなどの絶縁性と可とう性を備えた樹脂のベースフィルムに、銅箔などからなる複数本の配線パターンを形成し、接続部のみを露出させてその他の配線パターン部分を同じくポリイミドなどの樹脂のカバーフィルムで覆った構造であり、配線パターンは異方導電性接着剤などを介して表示パネル１の電極端子部２に接続されている。
【００１２】
図２は本発明による製造方法を実施するための装置の概略構成を示す図で、図２において、４は複数枚のＦＰＣ３を重ねた状態で収納する樹脂製の収納容器である。この収納容器４は、図３に示すように、筒状をしており、その内側面にはＦＰＣ３の端部が接触する除電ブラシ４ａが設けられるとともに、収納容器４の側面には、除電した空気が通る穴４ｂが長手方向に複数個配列して形成している。
【００１３】
また、このＦＰＣ３が収納された収納容器４は、図２に示すように、ＦＰＣ３を１枚づつ取出すための取出し装置に装填される。５はこの取出し装置において、装填される収納容器４を保持するためのクランプで、収納容器４を装填した後、図２の矢印方向に押圧力を加えることにより収納容器４を固定するものである。６は収納容器４の底面側に配置された持ち上げ機構部で、収納容器４の底面側の開口からＦＰＣ３を上方に押し上げるように付勢するものである。７はＦＰＣ３を１枚づつ吸着する吸着パッド８を備えた取出し機構部で、この取出し機構部７は、前記収納容器４に収納されたＦＰＣ３を１枚づつ取出しながら前記表示パネル１の電極端子部２にＦＰＣ３を供給するものである。
【００１４】
図４に示すように、ＦＰＣ３は収納容器４に複数枚重ねて収納された状態で、メーカーより供給される。なお、図４において、９は収納容器４の上下の開口を塞ぐキャップである。図４に示す状態で納入された収納容器４は、収納容器４の穴４ｂから除電された空気を送り込むことにより、静電気で貼り付いたＦＰＣ３同士を分離することができる。
【００１５】
そして、このＦＰＣ３が収納された収納容器４は、キャップ９を取り外した後、図２に示す取出し装置に装填される。取出し装置では、収納容器４をクランプ５で保持するとともに、持ち上げ機構部６によりＦＰＣ３を上方に押し上げる。この際、収納容器４の側面から除電された空気を送風しておくことにより、ＦＰＣ３同士を確実に分離しておくことが可能となる。そして、収納容器４の最上部のＦＰＣ３を取出し機構部７の吸着パッド８で吸着し、１枚づつ取り出され、表示パネル１の電極端子部２に供給される。ここで、ＦＰＣ３を収納容器４から取り出すとき、収納容器４の内側面に設けた除電ブラシ４ａにより、ＦＰＣ３に発生した静電気が取り除かれ、ＦＰＣ３同士が貼り付くということもない。なお、ＦＰＣ３を収納容器４から取り出すときは、ＦＰＣ３の位置ズレを防止するため、空気の吹き付けを停止するように構成している。
【００１６】
このように表示パネル１にＦＰＣ３を接続する際に、除電ブラシ４ａによりＦＰＣ３で発生した静電気を除去することができるため、ＦＰＣ３同士の貼り付きを防止し、ＦＰＣ３を１枚づつ確実に分離することができ、誤接続を防止できる。さらに、収納容器４に設けられた穴４ｂから除電された空気を送風することで、ＦＰＣ３の貼り付きをより確実に防止することができる。また、メーカーからＦＰＣ３を収納容器４に収納した状態で直接納入する形態をとることができるため、ＦＰＣ３の詰め替え作業が無くなり、詰め替えによる工数削減を図ることができる。
【産業上の利用可能性】
【００１７】
以上の説明から明らかなように本発明によれば、ディスプレイ装置の品質向上に有用な発明である。
【図面の簡単な説明】
【００１８】
【図１】本発明の一実施の形態によるディスプレイ装置の表示パネルを示す概略平面図
【図２】本発明による製造方法を実施するための装置の概略構成を示す断面図
【図３】同方法に用いる収納容器の一例を示す斜視図
【図４】フレキシブル配線板の供給形態の一例を示す断面図
【符号の説明】
【００１９】
１  表示パネル
２  電極端子部
３  フレキシブル配線板（ＦＰＣ）
４  収納容器
４ａ  除電ブラシ
４ｂ  穴
７  取出し機構部
【図１】
2009092989.tif 000003
【図２】
2009092989.tif 000004
【図３】
2009092989.tif 000005
【図４】
2009092989.tif 000006